(57)【特許請求の範囲】
【請求項１】
電線が接続される端子部と負荷を制御する開閉機能部とが分離可能であり、
１つのリモコン装置からの制御信号を受信すると応答信号を通信可能な全てのリモコン装置に対して送信する負荷制御スイッチであって、
前記負荷制御スイッチは、
建築物の壁面に設置された取り付け枠に直接取り付けられ、電線が接続される端子モジュールと、
前記端子モジュールに着脱可能に装着され、外部から入力される制御信号に応じて負荷のオン及びオフを制御する電子スイッチ機能を有する開閉機能モジュールと、
前記開閉機能モジュールに着脱可能に装着され、リモコン装置との間で信号を送受信する無線信号送受信回路、及び制御回路を有する操作ハンドルとを備え、
前記制御回路は、前記無線信号送受信回路がいずれか１つのリモコン装置から探索用の制御信号を受信した場合、リモコン装置の報知動作を開始させる探索用の応答信号を作成し、前記無線信号送受信回路は、前記応答信号を通信可能な複数のリモコン装置に送信し、
前記操作ハンドルは、内蔵電池の電池切れを検出する電池切れ検出回路をさらに備え、
前記電池切れ検出回路において電池切れが検出された場合は、前記制御回路はリモコン装置の報知動作を開始させる動作信号を通信可能な複数のリモコン装置に送信することを特徴とする負荷制御スイッチ。
【請求項２】
前記操作ハンドルは、前記応答信号を前記負荷制御スイッチと通信可能な複数のリモコン装置に送信するためのスイッチをさらに備えることを特徴とする請求項１記載の負荷制御スイッチ。
【請求項３】
複数のリモコン装置のいずれか１つを用いて少なくとも１つ以上の負荷制御スイッチを遠隔制御する負荷制御スイッチシステムであって、
前記負荷制御スイッチは、
建築物の壁面に設置された取り付け枠に直接取り付けられ、電線が接続される端子モジュールと、
前記端子モジュールに着脱可能に装着され、外部から入力される制御信号に応じて負荷のオン及びオフを制御する電子スイッチ機能を有する開閉機能モジュールと、
前記開閉機能モジュールに着脱可能に装着され、前記リモコン装置との間で信号を送受信する無線信号送受信回路、及び制御回路を有する操作ハンドルとを備え、
前記複数のリモコン装置はそれぞれ、
前記開閉機能モジュールを制御するための制御信号を生成する制御信号出力部と、
前記開閉機能モジュールを遠隔操作するため、前記無線信号送受信回路と無線信号を送受信する送受信部と、
当該リモコン装置の所在をユーザに知らせる報知部とを備え、
前記無線信号送受信回路が前記リモコン装置から他のリモコン装置の探索用の制御信号を受信すると、前記制御回路は、探索用の応答信号を作成し、前記無線信号送受信回路は、前記応答信号を前記負荷制御スイッチシステム内の通信可能な複数のリモコン装置に返信し、
各リモコン装置の前記送受信部が当該応答信号を受信した場合に、前記報知部は報知動作を行い、
前記リモコン装置は、内蔵電池の電池切れを検出する電池切れ検出部をさらに備え、
前記電池切れ検出部において電池切れが検出された場合は、前記制御信号出力部は報知回路動作信号を前記無線信号送受信回路に送信し、
前記操作ハンドルは、前記無線信号送受信回路が前記報知回路動作信号を受信した場合に、前記リモコン装置の電池切れをユーザに報知する報知回路をさらに備えることを特徴とする負荷制御スイッチシステム。
【請求項４】
前記報知部の報知動作は、聴覚又は視覚を介して前記リモコン装置の所在をユーザに報知する動作であることを特徴とする請求項３記載の負荷制御スイッチシステム。
【請求項５】
前記操作ハンドルは、前記負荷制御スイッチシステム内のリモコン装置を検出するための探索用スイッチをさらに備え、
前記制御回路は、前記探索用スイッチの操作時において、前記無線信号送受信回路を介して前記報知部を動作させる探索用の応答信号を前記複数のリモコン装置に送信し、
前記送受信部が前記応答信号を受信した場合に、前記報知部は報知動作を行うことを特徴とする請求項３又は請求項４に記載の負荷制御スイッチシステム。
【請求項６】
前記操作ハンドルは、内蔵電池の電池切れを検出する電池切れ検出回路をさらに備え、
前記電池切れ検出回路において電池切れが検出された場合は、前記制御回路はリモコン装置の前記報知部の動作を開始させる報知部動作信号を送信し、
前記送受信部が前記報知部動作信号を受信した場合に、前記報知部は、前記操作ハンドルの電池切れをユーザに報知する報知動作を行うことを特徴とする請求項３乃至請求項５のいずれか一項に記載の負荷制御スイッチシステム。
【発明の詳細な説明】
【技術分野】
【０００１】
本発明は、電気工事士の資格を有していなくても、ユーザによって簡単に無線信号受信機能を有するように機能を向上させることが可能な負荷制御スイッチと、この負荷制御スイッチを遠隔制御するリモコン装置とを用いた負荷制御スイッチシステムに関する。
【背景技術】
【０００２】
近年、換気扇や照明装置などの負荷のオン及びオフをリモコン装置などによって行えるように、建築物の壁面などに設置された負荷制御スイッチに無線信号受信機能を設けたものなどが提案されている。元々、単純に負荷のオン／オフを制御する負荷制御スイッチが設置されていたと仮定して、そのような負荷制御スイッチを、無線信号受信機能を有するものに交換するには、配線工事を必要とするため、ユーザが自分で交換することはできず、電気工事士の資格を有する者に依頼しなければならなかった。
【０００３】
一方、近年ＤＩＹ(Do It Yourself)と呼ばれるように、ホームセンターなどで部品を購入してきて、ユーザが自分で部品交換などを行うことが流行っている。現行のシステムにおいては、例えば非特許文献１に記載されているように、ユーザは、ホームセンターなどにおいて操作ハンドルの色やデザインなどを選択できる程度であり、負荷制御スイッチ本体の交換は自由にできないという煩わしさはそのままである。
【０００４】
また、トライアックなどの半導体スイッチ素子を主スイッチ素子とする電子スイッチの場合、無線信号受信装置や人体感知センサなどから出力される信号に応じて、負荷のオン／オフを制御することが可能である。従って、電子式の負荷制御スイッチにあらかじめ外部信号入力端子を設けておき、その電子式の負荷制御スイッチに無線信号受信装置や人体感知センサなどをユーザ自身で接続できれば、低コストで負荷制御スイッチの機能を向上させることができる。
【０００５】
ところで、従来の複数のリモコン装置を用いる照明システムにおいては、ユーザが所望のリモコン装置をなくした場合、容易に見つけることができないという問題もある。そのため、例えば特許文献１に記載されているように、リモコン装置によって制御される装置本体と、そのリモコン装置との間で信号の双方向通信を行い、装置本体側からリモコン装置に向けてリモコン探索信号を送信し、リモコン装置を探索できるようにしたものが知られている。ところが、従来のリモコン捜索システムでは、装置本体とリモコン装置が一対一に対応しており、装置側に設けられたリモコン捜索ボタンを操作しなければならず操作が面倒である。
【先行技術文献】
【特許文献】
【０００６】
【特許文献１】特開２００２―３２０２７９号公報
【非特許文献】
【０００７】
【非特許文献１】パナソニック電工  電設資材カタログ  ２０１０−２０１２  第１９頁
【発明の概要】
【発明が解決しようとする課題】
【０００８】
本発明は、上記従来の課題に鑑みてなされたものであり、配線工事を伴わずに、ユーザによって簡単に無線信号受信機能を有するように機能を向上させることが可能な負荷制御スイッチを提供し、且つこの負荷制御スイッチに通信接続される複数のリモコン装置から、なくしたリモコン装置を容易に見つけることができる負荷制御スイッチシステムを提供することを目的とする。
【課題を解決するための手段】
【０００９】
上記目的を達成するために本発明に係る負荷制御スイッチは、電線が接続される端子部と負荷を制御する開閉機能部とが分離可能であり、１つのリモコン装置からの制御信号を受信すると応答信号を通信可能な全てのリモコン装置に対して送信する負荷制御スイッチであって、前記負荷制御スイッチは、建築物の壁面に設置された取り付け枠に直接取り付けられ、電線が接続される端子モジュールと、前記端子モジュールに着脱可能に装着され、外部から入力される制御信号に応じて負荷のオン及びオフを制御する電子スイッチ機能を有する開閉機能モジュールと、前記開閉機能モジュールに着脱可能に装着され、リモコン装置との間で信号を送受信する無線信号送受信回路、及び制御回路を有する操作ハンドルとを備え、前記制御回路は、前記無線信号送受信回路がいずれか１つのリモコン装置から探索用の制御信号を受信した場合、リモコン装置の報知動作を開始させる探索用の応答信号を作成し、前記無線信号送受信回路は、前記応答信号を通信可能な複数のリモコン装置に送信し、前記操作ハンドルは、内蔵電池の電池切れを検出する電池切れ検出回路をさらに備え、前記電池切れ検出回路において電池切れが検出された場合は、前記制御回路はリモコン装置の報知動作を開始させる動作信号を通信可能な複数のリモコン装置に送信することを特徴とする。
【００１１】
また、前記負荷制御スイッチにおいて、前記操作ハンドルは、前記応答信号を前記負荷制御スイッチと通信可能な複数のリモコン装置に送信するためのスイッチをさらに備えることが好ましい。
【００１３】
また、上記目的を達成するために本発明に係る負荷制御スイッチシステムは、複数のリモコン装置のいずれか１つを用いて少なくとも１つ以上の負荷制御スイッチを遠隔制御する負荷制御スイッチシステムであって、前記負荷制御スイッチは、建築物の壁面に設置された取り付け枠に直接取り付けられ、電線が接続される端子モジュールと、前記端子モジュールに着脱可能に装着され、外部から入力される制御信号に応じて負荷のオン及びオフを制御する電子スイッチ機能を有する開閉機能モジュールと、前記開閉機能モジュールに着脱可能に装着され、前記リモコン装置との間で信号を送受信する無線信号送受信回路、及び制御回路を有する操作ハンドルとを備え、前記複数のリモコン装置はそれぞれ、前記開閉機能モジュールを制御するための制御信号を生成する制御信号出力部と、前記開閉機能モジュールを遠隔操作するため、前記無線信号送受信回路と無線信号を送受信する送受信部と、当該リモコン装置の所在をユーザに知らせる報知部とを備え、前記無線信号送受信回路が前記リモコン装置から他のリモコン装置の探索用の制御信号を受信すると、前記制御回路は、探索用の応答信号を作成し、前記無線信号送受信回路は、前記応答信号を前記負荷制御スイッチシステム内の通信可能な複数のリモコン装置に返信し、各リモコン装置の前記送受信部が当該応答信号を受信した場合に、前記報知部は報知動作を行い、前記リモコン装置は、内蔵電池の電池切れを検出する電池切れ検出部をさらに備え、前記電池切れ検出部において電池切れが検出された場合は、前記制御信号出力部は報知回路動作信号を前記無線信号送受信回路に送信し、前記操作ハンドルは、前記無線信号送受信回路が前記報知回路動作信号を受信した場合に、前記リモコン装置の電池切れをユーザに報知する報知回路をさらに備えることを特徴とする。
【００１４】
また、前記負荷制御スイッチシステムにおいて、前記報知部の報知動作は、聴覚又は視覚を介して前記リモコン装置の所在をユーザに報知する動作であることが好ましい。
【００１５】
また、前記負荷制御スイッチシステムにおいて、前記操作ハンドルは、前記負荷制御スイッチシステム内のリモコン装置を検出するための探索用スイッチをさらに備え、前記制御回路は、前記探索用スイッチの操作時において、前記無線信号送受信回路を介して前記報知部を動作させる探索用の応答信号を前記複数のリモコン装置に送信し、前記送受信部が前記応答信号を受信した場合に、前記報知部は報知動作を行うことが好ましい。
【００１７】
また、前記負荷制御スイッチシステムにおいて、前記操作ハンドルは、内蔵電池の電池切れを検出する電池切れ検出回路をさらに備え、前記電池切れ検出回路において電池切れが検出された場合は、前記制御回路はリモコン装置の前記報知部の動作を開始させる報知部動作信号を送信し、前記送受信部が前記報知部動作信号を受信した場合に、前記報知部は、前記操作ハンドルの電池切れをユーザに報知する報知動作を行うことが好ましい。
【発明の効果】
【００１９】
本発明によれば、負荷制御スイッチが、電線が接続される端子モジュールと、端子モジュールに着脱可能に装着される開閉機能モジュールに分離され、さらに無線信号送受信回路が操作ハンドルに設けられている。そのため、ユーザは、配線工事を行うことなく、操作ハンドルのみ又は開閉機能モジュールと操作ハンドルの組み合わせを選択し、自分で交換することができる。また、ユーザは、リモコン装置の内蔵電池の電池切れや、操作ハンドルの内蔵電池の電池切れを確実に知ることができる。
【００２０】
また、本発明によれば、負荷制御スイッチと複数のリモコン装置とが無線通信で接続され、リモコン装置からの制御信号を受信した負荷制御スイッチは応答信号を複数のリモコン装置に返信する。ここで、リモコン装置はユーザに所在を報知するための報知部を備えており、応答信号を受信したリモコン装置は当該報知部を動作させる。このため、ユーザは、負荷制御スイッチシステム内の複数のリモコン装置からなくしたリモコン装置を容易に見つけることができる。
【図面の簡単な説明】
【００２１】
【図１】本発明の一実施形態に係る負荷制御スイッチシステムの構成を示す図。
【図２】同負荷制御スイッチシステムにおいて他のリモコン装置に応答信号を送信する場合の説明図。
【図３】同負荷制御スイッチシステムにおいて操作ハンドルからリモコン装置に応答信号を送信する場合の説明図。
【図４】同負荷制御スイッチシステムの第１の変形例の構成を示す図。
【図５】同負荷制御スイッチシステムの第２の変形例の構成を示す図。
【図６】同負荷制御スイッチシステムの第３の変形例の構成を示す図。
【図７】同負荷制御スイッチシステムの第３の変形例を説明する図。
【図８】同負荷制御スイッチシステムの第３の変形例を説明する図。
【発明を実施するための形態】
【００２２】
本発明の一実施形態に係る負荷制御スイッチシステムについて説明する。図１は、本実施形態に係る負荷制御スイッチシステムＡの基本構成を示す図であり、負荷制御スイッチ１及び複数のリモコン装置７を備える。負荷制御スイッチ１は、例えばＶＶＦ(Vinyl insulated Vinyl sheathed Flat-type cable:６００Ｖビニル絶縁ビニルシースケーブル平型)などの電線５が接続される端子モジュール２、スイッチ機能を有する開閉機能モジュール３、及び操作ハンドル４で構成されている。
【００２３】
端子モジュール２は、絶縁被覆が剥がされた電線５の心線５１が挿入されるインレット２１と、開閉機能モジュール３のソケット３１が挿入されるアウトレット２２を備えている。インレット２１は、電線５の心線５１が挿入されると自動的にロックがかかるような、従来の負荷制御スイッチのものと同様である。アウトレット２２の構造は特に限定されず、単なる電気接点であってもよいし、コンセントのような構造であってもよい。後者の場合、感電を防止するため、アウトレット２２にスライド式のシャッターが設けられていてもよい。なお、図１では、端子モジュール２として２線式のものを例示しているが、３線式のものであってもよい。端子モジュール２は、電気工事士など専門知識を有するものによって設置されるものであり、本実施形態の構成によれば、端子モジュール２が一旦設置されると、通常は交換されない。なお、端子モジュール２は、開閉機能モジュール３が分離されている分、従来の負荷制御スイッチよりも小さい。そのため、従来の取り付け枠に取り付けられる場合は、アダプター６などが使用される。
【００２４】
図１は、開閉機能モジュール３としては、例えば、半導体スイッチ素子を主スイッチ素子とする電子スイッチを例示している。開閉機能モジュール３の操作ハンドル４が装着される装着面３２には、操作ハンドル４によって操作されるプッシュオン／プッシュオフ・スイッチ３３が設けられている。また、開閉機能モジュール３の装着面３２には、操作ハンドル４の背面４１に設けられた軸受け４２と嵌合される支軸３４が設けられている。操作ハンドル４の背面４１には、軸受け４２が支軸３４に嵌合された状態、すなわち、操作ハンドル４が開閉機能モジュール３に装着された状態で、プッシュオン／プッシュオフ・スイッチ３３と当接される突起４３が設けられている。操作ハンドル４は、支軸３４（又は軸受け４２）に対して非対称に形成されているプッシュオン／プッシュオフ・スイッチ３３のばねによって、通常は一方向に偏って保持されている。
【００２５】
上記非特許文献１などから周知のように、操作ハンドル４の大きさは、取り付け枠に取り付けられる負荷制御スイッチの数によって決定される。例えば、取り付け枠に負荷制御スイッチが１個だけ取り付けられる場合、シングルと呼ばれるように、化粧プレートに形成された矩形開口とほぼ同じ大きさの操作ハンドルが使用される。また、取り付け枠に負荷制御スイッチが２個取り付けられる場合、ダブルと呼ばれるように、化粧プレートに形成された矩形開口の高さ方向寸法の１／２の大きさの操作ハンドルが使用される（幅方向寸法は同じ）。さらに、取り付け枠に負荷制御スイッチが３個取り付けられる場合、トリプルと呼ばれるように、化粧プレートに形成された矩形開口の高さ方向寸法の１／３の大きさの操作ハンドルが使用される。従来と同じく、複数の色やデザインのものから選択できることは言うまでもない。
【００２６】
開閉機能モジュール３の内部には、回路基板３５が設けられており、回路基板３５にはトライアックなどの半導体スイッチ素子などで構成された制御回路３６が実装されている。ユーザによって操作ハンドル４が操作されると、プッシュオン／プッシュオフ・スイッチ３３がオン又はオフされ、それに伴って負荷がオン又はオフされる。
【００２７】
操作ハンドル４の内部には、回路基板４４が設けられており、回路基板４４に無線信号送受信回路４５、アンテナ４６及び４７、及び制御回路５０が実装されている。さらに、開閉機能モジュール３の装着面には、複数（例えば３つを例示）の第１接点３７が設けられており、操作ハンドル４の背面４１には、第１接点３７と接触する複数（一般的には同数）の第２接点（ばね片）４８が設けられている。それによって、第１接点３７及び第２接点４７を介して、電子スイッチの制御回路３６と無線信号送受信回路４５及び制御回路５０とが接続される。
【００２８】
図１に示す実施形態では、無線信号送受信回路４５の駆動電力は、第１接点３７及び第２接点４８を介して、電子スイッチ（開閉機能モジュール３側）から供給される。この構成により、操作ハンドル４は電子スイッチモジュールから供給される電力で駆動されるため、操作ハンドル４の電池交換等のメンテナンスが不要となる。
【００２９】
アンテナ４６及び４７は、ほぼ同一の部品がそれぞれ直交するように配置されており、いずれか一方のみを選択して使用するように構成されている。周知のように、リモコン装置（図示せず）などから送信される電波は、水平偏波成分と垂直偏波成分を含んでおり、周囲の電波環境に応じて、いずれか受信状態のよい方のアンテナ４６又は４７を選択することができる。アンテナ４６又は４７の選択は、ユーザによるスイッチの切換であってもよいし、無線信号送受信回路４５による自動的切り換えであってもよい。
【００３０】
例えば、白熱灯やＬＥＤなどの照明装置が負荷として接続される場合、負荷制御スイッチに調光機能を持たせることが効果的である。その場合、電子スイッチの制御回路３６にさらに調光回路を設け、無線信号送受信回路４５によりリモコン装置から送信される調光信号を受信し、調光回路は調光信号に応じて負荷である照明装置を調光制御するように構成すればよい。
【００３１】
リモコン装置７は、負荷制御スイッチシステムＡ内に複数備えられ、操作ハンドル４に設けられた無線信号送受信回路４５と間で無線通信を行うことで負荷制御スイッチ１の開閉や調光強度などの遠隔制御をするために用いられる。リモコン装置７は、持ち運び可能に軽量化された形態でも良いし、持ち運びができない壁に固定される形態でも良い。
【００３２】
リモコン装置７は、操作ボタン部７１、制御部（制御信号出力部）７２、送受信部７３及び報知部７４を備える。操作ボタン部７１は、ユーザが要求する負荷制御スイッチ１の入力操作を受ける複数のボタン部から構成され、例えば負荷制御スイッチ１の入／切ボタン、照度調整ボタン、他のリモコン装置７の探索用ボタンなどを含む。制御部７２は、ＣＰＵを備え、操作ボタン部７１に対応して負荷制御スイッチ１へ送信する制御信号を生成し、送受信部７３に出力する。また、制御部７２は、送信した信号や負荷制御スイッチ１から受信した信号に応じて報知部７４における報知動作を制御する。送受信部７３は、制御部７２からの指令を受けて、負荷制御スイッチ１との間で制御信号や応答信号の送受信を行う。報知部７４は、リモコン装置７の所在位置をユーザに通知するための動作部であり、例えばブザー、ＬＥＤ（発光ダイオード）やバイブレータなどである。報知部７４は、制御部７２から指令信号を受信して、ブザーから警告音、ＬＥＤの発光点滅やバイブレータ機能などの動作を開始する。
【００３３】
次に、本実施形態に係る負荷制御スイッチシステムＡの動作に関して説明する。図２に示すように、ユーザが所望のリモコン装置７ｂをなくした場合、例えば他のリモコン装置７ａの操作ボタン部７１に設けられた「探索用ボタン」が押下される。そして、制御部７２は、リモコン装置７ｂの探索用の制御信号を操作ハンドル４に送信する。
【００３４】
次に、操作ハンドル４の制御回路５０は、無線信号送受信回路４５を介して制御信号を取得して、負荷制御スイッチシステムＡ内のリモコン装置７の報知部７４の動作を開始させるための応答信号を生成する。そして、無線信号送受信回路４５は、負荷制御スイッチシステムＡ内の電波の届く範囲の複数のリモコン装置７に応答信号を送信する。次に、この応答信号を受信したリモコン装置７ｂの制御部７２は、報知部７４の報知動作を開始する。従って、ユーザは、負荷制御スイッチシステムＡ内の複数のリモコン装置７のうちのいずれか１つを用いて、なくしたリモコン装置７ｂを容易に見つけることができる。
【００３５】
なお、図３に示すように、リモコン装置７から制御信号を送信せずに、負荷制御スイッチ１の操作ハンドル４に設けられた「探索用スイッチ８」などを用いることもできる。ユーザがこの「探索用スイッチ８」を押下すると、負荷制御スイッチ１から一斉に負荷制御スイッチシステムＡ内の複数のリモコン装置７に報知部７４の動作を開始させる応答信号が送信される。従って、ユーザは、なくしたリモコン装置７を容易に見つけることができる。
【００３６】
（第１の変形例）
本実施形態の第１の変形例について、図４を参照して説明する。図４に示す第１の変形例では、第１接点３７及び第２接点４８をそれぞれ少なくとも２つとし、操作ハンドル４に内蔵された１次電池４９から無線信号送受信回路４５と制御回路５０とに駆動電力を供給するように構成されている。例えば２線式配線の場合、負荷制御スイッチ１は商用電源と負荷に対して直列に接続される。そして、負荷制御スイッチ１の開閉機能モジュール３の制御回路３６の駆動電力は商用電源から供給される。すなわち、負荷がオフの状態でも、制御回路３６のＣＰＵなどを待機させるための待機電力が消費され、それに起因して、負荷に微小電流が流れる。同様に、無線信号送受信回路４５や制御回路５０も、負荷がオフの状態であっても、常にリモコン装置７からの制御信号を受信できるように待機している。
【００３７】
ここで、図１に示す構成例のように、無線信号送受信回路４５と制御回路５０との駆動電力を開閉機能モジュール３から供給すると、負荷がオフの状態で負荷に流れる電流が増加する。負荷が白熱電灯などの場合はさほど問題とはならないが、ＬＥＤのように元々消費電力が少ない上、商用電源の電圧上昇に伴って電流値が低下するような特性を有する負荷の場合、制御回路３６の待機電力に起因する電流によってＬＥＤが点灯してしまう畏れがある。従って、図４に示す変形例のように、内蔵１次電池４９から無線信号送受信回路４５や制御回路５０に駆動電力を供給することにより、ＬＥＤの誤点灯を防止することができる。また、操作ハンドル４の受電端子が不要となり、開閉機能モジュール３は操作ハンドル４への電源供給が不要なので回路構成を簡略化できる。なお、内蔵１次電池４９として、例えばリチウムイオン電池などを用いれば、（使用頻度にもよるが）３〜５年の電池寿命が確保されるので、実用上特に問題は生じない。また、電池寿命が残り少なくなったときに、電池交換を促すような警報を出力するように構成してもよい。
【００３８】
また、図４に示すリモコン装置７は、内蔵電池７５を具備し、この内蔵電池７５を電源として制御部７２などの各処理部を駆動することで、リモコン装置７を軽量化して、ユーザの利便性を向上できる。なお、壁に固定されるタイプのリモコン装置７では、商用電源から受電するための受電回路を有していてもよい。
【００３９】
（第２の変形例）
本実施形態の第２の変形例について、図５を参照して説明する。図５に示す第２の変形例では、操作ハンドル４に太陽電池などの発電素子６１及び発電素子６１によって発電された電力を充電するための２次電池６２を備え、無線信号送受信回路４５及び制御回路５０には、発電素子６１又は２次電池６２から駆動電力が供給されるように構成されている。
【００４０】
発電素子６１としては、太陽電池の他に圧電素子などを用いることも可能である。例えば、操作ハンドル４は、プッシュオン／プッシュオフ・スイッチ３３のばねによって一定の方向に付勢されている。従って、操作ハンドル４の背面４１などに圧電素子を設け、常時圧電素子に圧力が加えられるようにしておけば、無線信号送受信回路４５や制御回路５０の駆動電力程度の電力を発電することは可能である。また、発電素子６１を操作ハンドル４が具備するので、操作ハンドル４は受電端子が不要となり、且つ開閉機能モジュール３からの電源供給が不要なので回路構成を簡略化できる。さらに、発電素子６１を用いることで、ユーザは操作ハンドル４の電池交換等のメンテナンスが不要となる。
【００４１】
（第３の変形例）
本実施形態の第３の変形例について、図６乃至図８を参照して説明する。本変形例３において、操作ハンドル４は、ユーザにリモコン装置７の電池切れや、操作ハンドル４の電池切れを報知するための報知部４ａと、電圧値を測定して操作ハンドル４の内蔵電池４９の電池切れを検出する電池切れ検出回路４ｂとを備えている。また、リモコン装置７は、電圧値を測定して内蔵電池７５の電池切れを検出する電池切れ検出部７６を備えている。
【００４２】
リモコン装置７の電池切れ検出部７６において電池切れが検出された場合には、制御部７２は、操作ハンドル４の報知部４ａの動作を開始させる動作信号を無線信号送受信回路４５に送信し、当該動作信号を受信した制御回路５０は、ユーザにリモコン装置７の電池切れを報知部４ａに表示する。なお、この報知部４ａは、図６に示すディスプレイ表示以外に警告音でユーザに報知する形態でもよい。
【００４３】
一方、操作ハンドル４の電池切れ検出回路４ｂにおいて電池切れが検出された場合には、制御回路５０は、報知部７４の動作を開始させる動作信号をリモコン装置７に送信して、当該動作信号を受信した制御部７２は、ユーザに操作ハンドル４の内蔵電池４９の電池切れを報知するため報知部７４の動作を開始させる。この構成により、ユーザは、リモコン装置７の内蔵電池７５の電池切れや、操作ハンドル４の内蔵電池４９の電池切れを確実に知ることができる。
【００４４】
なお、開閉機能モジュール３の最もシンプルな構成として、可動接点及び固定接点を備えた機械スイッチが挙げられる。例えば、支軸の周りに操作ハンドルを一方向に回転させれば可動接点が固定接点に接触し、操作ハンドルを逆方向に回転させれば可動接点が固定接点から離反するシーソースイッチや、あるいは、機械式のプッシュオン／プッシュオフ・スイッチなどが考えられる（公知につき図示せず）。これらの機械スイッチは、機能自体は負荷をオン又はオフさせるだけのシンプルなものであるが、低コストである。
【００４５】
上記のように構成された負荷制御スイッチシステムＡによれば、あらかじめ端子モジュール２さえ設置されていれば、ホームセンターなどでユーザが自分の目的にあった開閉機能モジュール３及びそれに適合する操作ハンドル４を購入することにより、負荷制御スイッチ１を自分で交換することができる。例えば、入居時に開閉機能モジュール３として最も安価な機械スイッチが装着されていたと仮定して、ユーザが照明装置のオン及びオフをリモコン装置から制御したい場合、電子スイッチを備えた開閉機能モジュール３、無線信号受信機能を備えた操作ハンドル４及びリモコン装置７を購入し、自分で交換すればよい。それによって、例えば工務店に電気工事の依頼をする必要がなくなり、低コストで、かつ、任意の時に、負荷制御スイッチの機能向上又は変更を行うことができる。
【００４６】
また、本発明では、負荷制御スイッチシステムＡ内の複数のリモコン装置７から所望のリモコン装置７をなくしたユーザが、他のリモコン装置７を用いて負荷制御スイッチ１を操作することで、負荷制御スイッチ１から返信される応答信号を受けたリモコン装置７が報知部７４の報知動作を開始する。このため、ユーザは他のリモコン装置７を用いて、なくしたリモコン装置７を容易に見つけることができる。
【００４７】
なお、本発明の負荷制御スイッチシステムＡは、例えば２線用及び３線用の２種類の端子モジュール２と、上記実施形態で例示した複数種類の開閉機能モジュール３及びそれに適応する複数種類の操作ハンドル４などでも構成できる。また、上記実施形態では、無線信号受信機能として電波を用いた場合について説明したが、これに限定されるものではなく、赤外線などを用いた無線信号受信機能であってもよい。
【符号の説明】
【００４８】
Ａ  負荷制御スイッチシステム
１  負荷制御スイッチ
２  端子モジュール
３  開閉機能モジュール
３１  ソケット
３２  装着面
３３  プッシュオン／プッシュオフ・スイッチ
３４  支軸
３５  回路基板
３６  制御回路
４  操作ハンドル
４１  背面
４２、４２Ａ、４２Ｂ  軸受け
４３  突起
４４  回路基板
４５  無線信号送受信回路
４６、４７  アンテナ
４９  １次電池
５０  制御回路
５  電線
５１  心線
６１  発電素子
６２  ２次電池
７  リモコン装置
７１  操作ボタン部
７２  制御部
７３  送受信部
７４  報知部
７５  内蔵電池
７６  電池切れ検出部
【図１】
0005603213.tif 000002
【図２】
0005603213.tif 000003
【図３】
0005603213.tif 000004
【図４】
0005603213.tif 000005
【図５】
0005603213.tif 000006
【図６】
0005603213.tif 000007
【図７】
0005603213.tif 000008
【図８】
0005603213.tif 000009